(57)【要約】【課題】  カラースキャナ機能を備える画像形成装置において、正否の判定結果が付された答案用紙の集計を正確に、かつ自動的に行う。【解決手段】  使用者は、答案用紙に、予め規定された色、たとえば青、緑、赤のペンを使用して、正否の判定結果を、規定された形状、たとえば○印のマークで書込んでゆく。一方、各色のマーク１つにつき、予め重み（点数配分）を設定しておく（図５の例では、青は５点、緑は１０点、赤は２０点）。そして、マークを付けた答案用紙を、原稿読取り部に読取らせ、色認識・画像認識させて、マークを色毎に認識させ、カウントさせる。そのカウント結果を色毎に集計し、合計点を求め、参照符号Ａ６で示すように印字させる。図５の例では、青○はＢ１の１つ、緑○はＧ１，Ｇ２，Ｇ３の３つ、赤○はＲ１，Ｒ２の２つで、集計結果は７５点となる。こうして、答案用紙を自動集計することができる。【選択図】      図５
2006215132.tif 000002
【特許請求の範囲】
【請求項１】
シート体の画像を色毎に読取る読取り手段と、
前記読取り手段の出力から色認識および画像認識を行い、予め規定された形状のマークの数を色毎にカウントするカウント手段と、
前記カウント手段でのカウント結果を、前記色毎に予め規定された重みで集計する集計手段とを含むことを特徴とする集計装置。
【請求項２】
シート体の画像を色毎に読取る読取り手段と、
前記読取り手段の出力から色認識および画像認識を行い、予め色毎に分類された領域毎に、予め規定された形状のマークの数をそれぞれカウントするカウント手段と、
前記カウント手段でのカウント結果を、前記色毎に予め規定された重みで集計する集計手段とを含むことを特徴とする集計装置。
【請求項３】
操作部に色毎に前記重みとなる点数を登録可能な登録手段を備えるとともに、前記集計手段での集計結果を前記シート体の予め定める領域に印字する印字手段をさらに備えることを特徴とする請求項１または２記載の集計装置。
【請求項４】
前記請求項１〜３のいずれか１項に記載の集計装置を備えることを特徴とする画像形成装置。
【発明の詳細な説明】
【技術分野】
【０００１】
本発明は、○や×などで正否の判定結果が付された答案用紙などのシート体を読取り、その判定結果から自動的に採点を行う集計装置およびそれを備える画像形成装置に関する。
【背景技術】
【０００２】
上述のように、○や×などで正否の判定結果が付された答案用紙などのシート体を読取り、その判定結果から自動的に採点を行う装置は、特許文献１の採点、集計システムで提案されている。その従来技術によれば、タブレット等の入力装置に答案用紙を載置して入力ペンによって採点行為を行うと、記載する採点記号を適宜区別して認識し、その数、或いは位置のどちらか一方、或いは両方を検知演算することで、採点の集計と点数データのコンピューターへの入力とを同時に行い、採点業務の自動化と成績管理業務の一体化とによって、省力化が図られている。
【特許文献１】特開平６−２６６２８１号公報
【発明の開示】
【発明が解決しようとする課題】
【０００３】
上述の従来技術では、入力ペンで○や×等の採点記号の筆跡から正否を判定し、その採点記号の位置をタブレットが感知して、どの答えが正解か不正解かを判定している。したがって、採点記号の形が崩れたり、タブレット上での答案用紙の位置がずれたりすると、正否の判定結果を正確に集計できないという問題がある。
【０００４】
本発明の目的は、正否の判定結果を正確に集計することができる集計装置およびそれを備える画像形成装置を提供することである。
【課題を解決するための手段】
【０００５】
本発明の集計装置は、シート体の画像を色毎に読取る読取り手段と、前記読取り手段の出力から色認識および画像認識を行い、予め規定された形状のマークの数を色毎にカウントするカウント手段と、前記カウント手段でのカウント結果を、前記色毎に予め規定された重みで集計する集計手段とを含むことを特徴とする。
【０００６】
上記の構成によれば、正否の判定結果が付された答案用紙などのマークが付されたシート体を読取り、その判定結果を自動的に集計して得点などを求める集計装置であって、認識すべきマークの形状および色を予め規定しておき、使用者は規定された色のペンで、正否の判定結果を、規定された形状、たとえば丸印などのマークで前記シート体に書込んでゆく。集計装置では、読取り手段がそのシート体の画像を色毎に読取り、カウント手段で前記マークの数を色毎にカウントする。そして、集計手段で、カウント結果を色毎に予め規定された重みで集計する。
【０００７】
たとえば、青○は５点、緑○は１０点、赤○は２０点、として、小計または合計を集計する。予め定められた位置に、その採点結果を印字するようにしてもよく、また採点結果そのものではなく、“優”、“良”、“可”、“不可”などに分類し、別の指標を表示したり印字したりしてもよい。
【０００８】
したがって、使用者は、正否の判定結果などのマークを記入するだけで、集計装置が答案用紙などを読込み、画像認識で正確に、かつ自動的に予め定められた採点基準で採点を行う（点数配分毎に分類し、カウントする）ことになり、採点作業を簡略化することができる。
【０００９】
また、本発明の集計装置は、シート体の画像を色毎に読取る読取り手段と、前記読取り手段の出力から色認識および画像認識を行い、予め色毎に分類された領域毎に、予め規定された形状のマークの数をそれぞれカウントするカウント手段と、前記カウント手段でのカウント結果を、前記色毎に予め規定された重みで集計する集計手段とを含むことを特徴とする。
【００１０】
上記の構成によれば、正否の判定結果が付された答案用紙などのマークが付されたシート体を読取り、その判定結果を自動的に集計して得点などを求める集計装置であって、認識すべきマークの形状を予め規定しておくとともに、シート体の各項目（領域）を、点数配分毎に予め色分けしておき、使用者は前記色分けに使用された以外の色のペンで、正否の判定結果を、規定された形状、たとえば丸印などのマークで前記シート体に書込んでゆく。集計装置では、読取り手段がそのシート体の画像を色毎に読取り、カウント手段で前記各色の項目（領域）毎にマークの数をカウントする。そして、集計手段で、カウント結果を色毎に予め規定された重みで集計する。
【００１１】
たとえば、○１個につき、青で囲った領域の問１〜３は５点、緑で囲った領域の問４〜７は１０点、赤で囲った領域の問８は２０点、として、小計または合計を集計する。予め定められた位置に、その採点結果を印字するようにしてもよく、また採点結果そのものではなく、“優”、“良”、“可”、“不可”などに分類し、別の指標を表示したり印字したりしてもよい。
【００１２】
したがって、使用者は、正否の判定結果などのマークを記入するだけで、集計装置が答案用紙などを読込み、画像認識で正確に、かつ自動的に予め定められた採点基準で採点を行う（点数配分毎に分類し、カウントする）ことになり、採点作業を簡略化することができる。
【００１３】
さらにまた、本発明の集計装置は、操作部に色毎に前記重みとなる点数を登録可能な登録手段を備えるとともに、前記集計手段での集計結果を前記シート体の予め定める領域に印字する印字手段をさらに備えることを特徴とする。
【００１４】
上記の構成によれば、点数配分が任意に変更可能になるとともに、採点結果の自動印字まで行うことができ、利便性を向上することができる。
【００１５】
また、本発明の画像形成装置は、前記の集計装置を備えることを特徴とする。
【００１６】
上記の構成によれば、画像読取り装置を備える複写機などの画像形成装置において、カラースキャナの付加機能として上記自動集計機能を備えることで、画像形成装置の商品価値を高めることができる。
【発明の効果】
【００１７】
本発明の集計装置は、以上のように、正否の判定結果が付された答案用紙などのマークが付されたシート体を読取り、その判定結果を自動的に集計して得点などを求める集計装置であって、認識すべきマークの形状および色を予め規定しておき、使用者は規定された色のペンで、正否の判定結果を、規定された形状で前記シート体に書込んでゆくだけで、集計装置では、読取り手段がそのシート体の画像を色毎に読取り、カウント手段で前記マークの数を色毎にカウントし、集計手段でカウント結果を色毎に予め規定された重みで集計する。
【００１８】
それゆえ、使用者は、正否の判定結果などのマークを記入するだけで、集計装置が答案用紙などを読込み、画像認識で正確に、かつ自動的に予め定められた採点基準で採点を行うことになり、採点作業を簡略化することができる。
【００１９】
また、本発明の集計装置は、以上のように、正否の判定結果が付された答案用紙などのマークが付されたシート体を読取り、その判定結果を自動的に集計して得点などを求める集計装置であって、認識すべきマークの形状を予め規定しておくとともに、シート体の各項目（領域）を、点数配分毎に予め色分けしておき、使用者は前記色分けに使用された以外の色のペンで、正否の判定結果を、規定された形状で前記シート体に書込んでゆくだけで、集計装置では、読取り手段がそのシート体の画像を色毎に読取り、カウント手段で前記各色の項目（領域）毎にマークの数をカウントし、集計手段でカウント結果を色毎に予め規定された重みで集計する。
【００２０】
それゆえ、使用者は、正否の判定結果などのマークを記入するだけで、集計装置が答案用紙などを読込み、画像認識で正確に、かつ自動的に予め定められた採点基準で採点を行う（点数配分毎に分類し、カウントする）ことになり、採点作業を簡略化することができる。
【００２１】
また、本発明の画像形成装置は、以上のように、画像読取り装置を備える複写機などの画像形成装置において、カラースキャナの付加機能として上記自動集計機能を備える。
【００２２】
それゆえ、画像形成装置の商品価値を高めることができる。
【発明を実施するための最良の形態】
【００２３】
［実施の形態１］
図１は、本発明の実施の一形態に係る画像形成装置である複写機１の機械的構成を主に示す概略断面図である。この複写機１は、大略的に、本体部２と、前記本体部２の上部に配設される原稿読取り部３と、前記原稿読取り部３の上方に配設される原稿給送部４と、前記本体部２の上部に配設される操作部５とを備えて構成される。
【００２４】
前記本体部２は、複数の給紙カセット２１およびそれに取付けられる給紙ローラ２２と、転写ローラ２３と、中間転写体ローラ２４と、感光体ドラム２５と、露光装置２６と、イエロー、マゼンタ、シアン、ブラックの各色用の現像装置２７Ｙ，２７Ｍ，２７Ｃ，２７Ｋと、定着装置２８と、排出ローラ２９とを備えて構成される。
【００２５】
前記感光体ドラム２５は、矢印方向に回転しながら帯電装置（図示省略）によって一様に帯電され、露光装置２６において、原稿読取り部３で読取られた原稿の画像データに基づいて生成されたレーザ光によって各色別に露光され、こうして形成された各色の静電潜像は、対応する現像装置２７Ｙ，２７Ｍ，２７Ｃ，２７Ｋで顕像化され、中間転写体ローラ２４に転写される。上記の動作が各色に対して行われることで、中間転写体ローラ２４上にはフルカラーのトナー像が形成され、前記トナー像は給紙ローラ２２によって給紙カセット２１から引出された記録紙に転写ローラ２３によって転写され、定着装置２８で定着された後、前記記録紙は排出ローラ２９から排出トレイ３０へ排出される。こうして、本体部２は、フルカラーの画像形成が可能なプリンタとして構成されている。
【００２６】
前記原稿読取り部３は、原稿ガラス３１上に載置された原稿または前記原稿給送部４によって原稿ガラス３２上に給送されてきた原稿４２の画像を読取り素子３３によって光学的に読取り、フルカラーの前記画像データを出力するフルカラースキャナである。
【００２７】
前記原稿給送部４は、原稿載置部４１に載置された原稿４２を、取込みローラ４３によって１枚ずつ取込み、搬送路４４を経て前記原稿ガラス３２上に給送し、連続した画像読取りを可能とする。読取られた原稿は、原稿排出部４５に排出される。本発明では、この原稿給送部４において、原稿４２の読取り表面に印字可能な印字ヘッド４６およびその印字ヘッド４６に対して背後から原稿４２を挟持するプラテン４７が設けられている。
【００２８】
前記操作部５は、操作パネル５１と、各種のキーやスイッチ５２とを備えて構成され、前記操作パネル５１に種々の操作画面を表示するとともに、使用者が前記キーやスイッチ５２から種々の操作指令を入力する。
【００２９】
図２は、図１に示す複写機１の機能的構成を示すブロック図であり、図１の構成に対応する部分には同一の参照符号を付して示す。この複写機１では、前記原稿読取り部２の読取り素子３３によって読取られた原稿４２の画像に対応するデータは、マイクロコンピュータなどで実現される制御部６１に与えられ、適宜ハードディスク６２やＲＡＭ６３等の記憶装置に記憶されるとともに、制御部６１内の画像処理部６４において、ＲＯＭ６５に格納されているプログラムに従って、各種の画像処理が施され、前記本体部２の露光装置２６に与えられて静電潜像が形成される。
【００３０】
注目すべきは、本発明では、前記制御部６１内の画像処理部６４には、色認識・画像認識部６６が設けられており、ＲＯＭ６５に格納されているプログラムに従って、後述するように原稿読取り部２によって読取られた答案用紙から、予め規定された形状（以下の説明では、丸印とする）のマークを予め規定された色毎に認識することである。さらに、前記制御部６１内に設けたカウント部６７において、認識されたマークを色毎にカウントし、同様に前記制御部６１内に設けた集計部６８において、カウント結果から、色毎に予め規定された重みで、小計または合計を集計することで、前記答案用紙の採点を行うことである。そして、その採点結果を、前記原稿給送部４の印字ヘッド４６から、前記答案用紙に印字する。
【００３１】
前記原稿読取り部３は読取り手段を構成し、前記色認識・画像認識部６６およびカウント部６７はカウント手段を構成し、前記集計部６８は集計手段を構成する。また、前記操作パネル５１およびキーやスイッチ５２は登録手段を構成し、前記印字ヘッド４６は印字手段を構成する。
【００３２】
図３および図４は、本発明の実施の一形態を説明するための前記操作パネル５１の表示例を示す図である。本実施の形態の自動集計機能を採用するにあたって、使用者は、図３で示すような該複写機１で実現可能な機能一覧の中から、前記自動集計機能に対応したキー５３を操作する。それによって、操作パネル５１の表示は図４で示す画面に切換わり、集計に使用するマークの色と、各色に対する重み（点数配分）とを設定してゆく。図４の例では、参照符号Ａ１で示すように青○は５点、参照符号Ａ２で示すように緑○は１０点、参照符号Ａ３で示すように赤○は２０点に設定している。
【００３３】
さらに、図４で示す設定画面において、参照符号Ａ４で示すように、採点結果の印字場所が、たとえば前記答案用紙の右上、右下、左上、左下、上中央、中央、下中央の中から選ばれ（図４の例では右上）、参照符号Ａ５で示すように、前記採点結果の印字内容が、点数のみや、タイトル＋点数などの中から選ばれる（図４の例では、タイトル＋点数で、タイトルとして「合計点」と表示する）。
【００３４】
図５は、上述のように構成される複写機１において使用される答案用紙の一例を示す図である。使用者は、予め規定された色（図４の例では、青、緑、赤）のペンを使用して、正否の判定結果を、規定された形状（本実施の形態では、前述のように丸印）のマークで前記答案用紙に書込んでゆく。
【００３５】
その答案用紙を、原稿読取り部２によって色毎に読取ると、色認識・画像認識部６６は、○印を前記青、緑、赤の色毎に認識し、カウント部６７において、その認識された○印の数が色毎にカウントされる。そのカウント結果から、集計部６８は、色毎に予め規定された重み（点数配分）で、小計または合計を集計する。図５の例では、青○は参照符号Ｂ１で示す１つ、緑○は参照符号Ｇ１，Ｇ２，Ｇ３で示す３つ、赤○は参照符号Ｒ１，Ｒ２で示す２つで、集計結果は、５点×１＋１０点×３＋２０点×２＝７５点となり、印字場所として指定された答案用紙の右上に、参照符号Ａ６で示すように、タイトルとしての合計点という表示とともに、その集計結果が印字されている。
【００３６】
このように構成することで、使用者は、規定された色のペンで、正否の判定結果を、規定された○印で前記答案用紙に書込んでゆき、原稿読取り部３で読取らせるだけで、該複写機１が、画像認識で正確に、かつ自動的に予め定められた採点基準で採点を行う（点数配分毎に分類し、カウントする）ことになり、採点作業を簡略化することができる。
【００３７】
また、操作部５の操作パネル５１およびキーやスイッチ５２から、使用者が色毎に前記重みとなる点数を登録可能であり、これによって点数配分が任意に変更可能になるとともに、印字ヘッド４６によって採点結果の自動印字まで行うことができ、利便性を向上することができる。さらにまた、正否のマークを付けた答案用紙をそのまま読込ませるだけで、集計を行わせることができ、そのまま受験者へ返却することもできる。
【００３８】
図６は、上述のように構成される複写機１の動作を説明するためのフローチャートであり、前記図３および図４で示す設定操作時の動作を示す。前記操作パネル５１の機能一覧の中から自動集計機能を選択するとステップＳ１に移り、集計に使用するマークの色の入力待ちとなり、入力されるとステップＳ２に移り、各色に対する重みの入力待ちとなり、入力されるとステップＳ３に移る。ステップＳ３では、採点結果を印字するか否かおよび印字する場合には印字場所の入力待ちとなり、入力されるとステップＳ４に移る。ステップＳ４では、印字内容の入力待ちとなり、入力されるとステップＳ５に移り、タイトル名の入力待ちとなる。こうして総ての入力が行われると設定操作を終了し、図７の集計動作に移る。
【００３９】
集計動作では、使用者が正否の判定結果を付した答案用紙をステップＳ１１で読取り、ステップＳ１２ではマークを色毎に認識する。ステップＳ１３では、認識されたマークの数をカウントし、ステップＳ１４では、そのカウント結果から、予め規定された重みで集計を行う。ステップＳ１５では、指定された印字場所に集計結果が印字され、ステップＳ１６で排出される。
【００４０】
なお、前記採点結果として、点数を印字するのではなく、“優”、“良”、“可”、“不可”などの別の指標を表示したり印字したりしてもよく、前記点数と共に、その別の指標を合わせて表示したり印字したりしてもよい。その場合、前記図４で示す設定画面などで、前記“優”、“良”、“可”、“不可”の各指標に対して、それぞれ何点から何点はどの指標というように、設定しておけばよい。また、採点結果を自動的に集計し、平均点や、それぞれの偏差値などを求めるようにしてもよい。
【００４１】
さらにまた、前記色認識・画像認識部６６は、上述の例では○印だけを得点として集計したけれども、△印などの他の形状のマークも得点として集計するようにしてもよく、また○印や△印などのマークの少なくとも一部に×印が重なっている場合には、そのマークによる判定結果を無効としてもよい。
【００４２】
［実施の形態２］
図８は、本発明の実施の他の形態に係る複写機において使用される答案用紙の一例を示す図であり、本実施の形態の複写機は前述の複写機１と同様の構成を用いることができ、ＲＯＭ６５に格納されている答案用紙の集計のためのプログラムが異なり、これによって前記色認識・画像認識部６６の認識動作が異なるだけである。具体的には、図８で示すように、答案用紙は、各項目（領域）で、点数配分毎に予め色分けされている（図８の例では、参照符号Ｂ１０の破線で示す青線で囲われた領域は○１つにつき５点、参照符号Ｇ１０の１点鎖線で示す緑線で囲われた領域は○１つにつき１０点、参照符号Ｒ１０の２点鎖線で示す赤線で囲われた領域は○１つにつき２０点に設定されている。）。
【００４３】
前記操作パネル５１において、このような設定を行う画面は、前述の図３および図４で示す画面と同様であり、本実施の形態の自動集計機能を採用するにあたって、使用者は、図３で示す機能一覧の中から、前記自動集計機能に対応したキー５３を操作すると、操作パネル５１の表示は図４で示す画面に切換わり、使用者は、各項目（領域）を規定する枠の色と、各色に対する重み（点数配分）とを設定してゆく。図８の答案用紙の例は、図４の操作パネル５１の表示例と対応しており、参照符号Ａ１で示すように青の領域は５点、参照符号Ａ２で示すように緑の領域は１０点、参照符号Ａ３で示すように赤の領域は２０点に設定されている。さらに、図４で示す設定画面において、参照符号Ａ４で示すように、採点結果の印字場所が指定され、参照符号Ａ５で示すように、前記採点結果の印字内容が指定される。
【００４４】
そのように設定した上で、使用者は、前記領域の分割に使用した色以外の色、たとえば黒色のペンを使用して、正否の判定結果を、規定された形状（本実施の形態では、前述のように丸印）のマークで前記答案用紙に書込んでゆく。
【００４５】
その答案用紙を、前記原稿読取り部２によって色毎に読取ると、色認識・画像認識部６６は、○印を、前記青、緑、赤の各色の領域毎に認識し、カウント部６７において、その認識された○印の数が色毎にカウントされる。そのカウント結果から、集計部６８は、色毎に予め規定された重み（点数配分）で、小計または合計を集計する。図８の例では、青の領域の○は参照符号Ｂ１１で示す１つ、緑の領域の○は参照符号Ｇ１１，Ｇ１２，Ｇ１３で示す３つ、赤の領域の○は参照符号Ｒ１１，Ｒ１２で示す２つで、集計結果は、５点×１＋１０点×３＋２０点×２＝７５点となり、印字場所として指定された答案用紙の右上に、参照符号Ａ６で示すように、タイトルとしての合計点という表示とともに、その集計結果が印字されている。
【００４６】
このように構成することで、使用者は、予めカラーコピーなどによって項目毎に色分けした答案用紙を準備し、規定された色のペンで、正否の判定結果を、規定された○印で前記答案用紙に書込んでゆき、原稿読取り部２で読取らせるだけで、複写機１が、画像認識で正確に、かつ自動的に予め定められた採点基準で採点を行う（点数配分毎に分類し、カウントする）ことになり、採点作業を簡略化することができる。
【００４７】
本発明は、必ずしも画像形成装置の一機能として実現されなくてもよく、カラースキャナなどの画像読取りを行う他の機器の一機能として実現されてもよく、また答案用紙の採点を行う専用の装置として実現されてもよい。
【図面の簡単な説明】
【００４８】
【図１】本発明の実施の一形態に係る画像形成装置である複写機の機械的構成を主に示す概略断面図である。
【図２】図１に示す複写機の機能的構成を示すブロック図である。
【図３】本発明の実施の一形態を説明するための操作パネルの表示例を示す図であり、機能選択画面を示す。
【図４】本発明の実施の一形態を説明するための操作パネルの表示例を示す図であり、本発明に係る自動集計機能の設定画面を示す。
【図５】本発明の実施の一形態で使用される答案用紙の一例を示す図である。
【図６】本発明の実施の一形態の動作を説明するためのフローチャートであり、設定操作時の動作を示す。
【図７】本発明の実施の一形態の動作を説明するためのフローチャートであり、集計時の動作を示す。
【図８】本発明の実施の他の形態で使用される答案用紙の一例を示す図である。
【符号の説明】
【００４９】
１    複写機
２    本体部
３    原稿読取り部
４    原稿給送部
５    操作部
３１，３２    原稿ガラス
３３    読取り素子
４２    原稿
４６    印字ヘッド
４７    プラテン
５１    操作パネル
５２    キーやスイッチ
６１    制御部
６２    ハードディスク
６３    ＲＡＭ
６４    画像処理部
６５    ＲＯＭ
６６    色認識・画像認識部
６７    カウント部
６８    集計部
【図１】
2006215132.tif 000003
【図２】
2006215132.tif 000004
【図３】
2006215132.tif 000005
【図４】
2006215132.tif 000006
【図５】
2006215132.tif 000007
【図６】
2006215132.tif 000008
【図７】
2006215132.tif 000009
【図８】
2006215132.tif 000010